(57)【要約】  道糸を引いたり弛めたりすることにより、疑似餌を横向きに引き回して、生き餌が泳いでいるように挙動させて釣りの成果を高める天秤仕掛けを提供することを目的とする。  ピッチが上下に反転可能な２枚の羽根板３a、３bを両端部近傍に設けてプロペラを形成し、この羽根板３a、３bの外側または内側にハリス８の結び目11を形成した水平な鋼線１と、この鋼線１の中央部に垂直方向に形成された回転軸となる垂直な鋼線２を具備し、水平な鋼線１の結び目11にハリス８を結び付け、垂直な鋼線２の上端にサルカン61を介して道糸６を結合し、下端に錘７を吊り下げたものである。
2010041512.tif 000002
【特許請求の範囲】
【請求項１】
ピッチが反転可能な２枚の羽根板を両端部近傍に設けてプロペラを形成し、該羽根板の外側または内側に結び目を形成した水平な鋼線と、
該鋼線の中央部に垂直方向に形成された回転軸とを具備し、
上記水平な鋼線の結び目にハリスを結び付け、上記回転軸の上端に道糸を結合し、下端に錘を吊り下げたことを特徴とする天秤仕掛け。
【請求項２】
ピッチが反転可能な２枚の羽根板として弾性変形する薄板を使用し、該羽根板の先端部を水平な鋼線に固定したことを特徴とする請求項１に記載の天秤仕掛け。
【請求項３】
回転軸が、水平な鋼線の中央部において２つのループを鋼線の上下に並べて８字形ループを形成したものであることを特徴とする請求項１に記載の天秤仕掛け。
【請求項４】
２つのループを描く平面が回転軸とほぼ直交するように、水平な鋼線に隣接して２つのループを形成し、該２つのループにより弾性変形する羽根板を挟んで保持させたことを特徴とする請求項１に記載の天秤仕掛け。
【請求項５】
２枚の羽根板を水平な鋼線に回動自在に取り付け、水平面を基準にして上記羽根板の上下の回動角度を制限するストパー部材を上記水平な鋼線に固定したことを特徴とする請求項１に記載の天秤仕掛け。
【請求項６】
内部に空間を有し、該空間から頂部まで貫通した穴をあけた重塊と、ケースの内部に一定長さの糸を巻き込んだリールおよび巻き込み用コイルスプリングを有する巻込装置を上記空間に収め、該巻込装置から引き出した上記糸を重塊の貫通した穴を経て回転軸の下端の結合したことを特徴とする請求項１に記載の天秤仕掛け。
【発明の詳細な説明】
【技術分野】
【０００１】
この発明は、魚釣りに使用する天秤仕掛けに関し、特に、水中で擬似餌を横向きに引き回すことにより、擬似餌をあたかも生き餌のように挙動させるように構成したものである。
【背景技術】
【０００２】
魚釣りにおいては、竿のシャクリを繰り返して疑似餌に上下方向の動きを与えてるが、その動きは、生き餌の動きとはかけ離れたものである。【０００３】
そこで、疑似餌に動きを与える仕掛けとして、道糸を引いたり弛めたりすることにより、翼または凧の機能を有する部材の作用により疑似餌を水中で上昇あるいは滑降させることが可能な仕掛けが、下記特許文献１に開示されている。【０００４】
【特許文献１】特開２００４−１５４１３４号公報
【発明の開示】
【発明が解決しようとする課題】
【０００５】
しかし、このような従来の仕掛けにおいては、竿のシャクリを繰り返すことにより、水中で疑似餌を上昇あるいは滑降させており、この上昇は斜め上向きに、滑降は斜め下向きの戻る方向に交互に反転して行われるものであって、疑似餌を横方向に連続的に動かすことはできない。【０００６】
そこで、この発明の魚釣りに使用する天秤仕掛けは、このような課題を解決するために考えられたもので、道糸を引いたり弛めたりすることにより、疑似餌を横向きに連続的に引き回すように構成したものである。
【課題を解決するための手段】
【０００７】
この発明の天秤仕掛けは、ピッチが反転可能な２枚の羽根板を両端部近傍に設けてプロペラを形成し、この羽根板の外側または内側に結び目を形成した水平な鋼線と、この鋼線の中央部に垂直方向に形成された回転軸とを具備し、上記水平な鋼線の結び目にハリスを結び付け、上記回転軸の上端に道糸を結合し、下端に錘を吊り下げたものである。
【発明の効果】
【０００８】
この発明の天秤仕掛けによると、プロペラを形成する２枚の羽根板が水中で降下するときには反り上がり、上昇するときには反り下がるようにピッチが交互に反転して、降下時にも上昇時にも天秤仕掛けが常に同じ方向に回転するので、天秤仕掛けの昇降を繰り返すと、ハリスで繋がれた釣り針付き擬似餌が、あたかも生き餌が泳いでいるように挙動して、釣りの成果を高めることができる。
【図面の簡単な説明】
【０００９】
【図１】この発明の天秤仕掛けの第１実施形態を示す斜視図、
【図２】この発明の天秤仕掛けを水中で降下または上昇させたときの羽根板の反りを示す側面図、
【図３】この発明の天秤仕掛けの第２実施形態を示す斜視図、
【図４】この発明の天秤仕掛けの第３実施形態で使用する水平な鋼線を示す平面図（ａ）および羽根板を示す平面図（ｂ）、
【図５】第３実施形態において鋼線に羽根板を取り付ける手順を示す平面図、
【図６】この発明の天秤仕掛けの第４実施形態を示す斜視図
【図７】この発明の天秤仕掛けの第５実施形態を示す平面図および側面図、
【図８】この発明の天秤仕掛けの第６実施形態で使用する錘を示す図、
【図９】第６実施形態の錘を天秤仕掛けに適用した状態を示す図、
【図１０】この発明の天秤仕掛けの第７実施形態を示す斜視図である。
【発明を実施するための最良の形態】
【００１０】
（第１実施形態）
この発明の天秤仕掛けの第１実施形態の基本的な構成は、図１の斜視図に示すように、水平な鋼線１と、この鋼線１の中央部に回転軸となる垂直な鋼線２を直交方向にスポット溶接して十字形に形成したものを使用する。【００１１】
垂直な鋼線２は、水中において垂直な姿勢を保って水平な鋼線１の回転軸となるもので、上端には縒りを戻すサルカン61を介して道糸６が結合され、下端にはサルカン61を介して錘７が吊り下げられる。【００１２】
水平な鋼線１は、垂直な鋼線２を回転軸として水平面を回転するもので、両端部近傍に弾性変形する羽根板３a、３bの先端部がそれぞれ水平方向に固定されており、水平な鋼線１の両先端部をハリス８の結び目11としたものである。この羽根板３a、３bには、燐青銅のような金属の薄板を打抜加工したものが適度の弾性を有し、水平な鋼線１に対してスポット溶接または半田付けにより固定できるので適している。【００１３】
このように構成された天秤仕掛けを使用して釣りをする際には、疑似餌９を付けた釣り針のハリス８の上端を水平な鋼線１の先端部の結び目11に結び付ける。【００１４】
そして、この天秤仕掛けを水中に沈降させると、図２の側面図（ａ）に示すように、２枚の羽根板３a、３bが反り上がってプロペラとして作用し、天秤仕掛けが回転して疑似餌９を回転させながら沈降する。【００１５】
釣り竿より道糸６を繰り出して所望の深さまで沈降したとき、釣り竿を上げて道糸６を引き上げると、天秤仕掛けも上昇する。この上昇時には、図２の側面図（ｂ）に示すように、２枚の羽根板３a、３bが反り下がってプロペラとして作用し、沈降時と同じ方向に天秤仕掛けが回転する。【００１６】
このように、天秤仕掛けの昇降を繰り返すと、上昇時および下降時に、プロペラとして作用する２枚の羽根板３a、３bのピッチが交互に反転して、水平な鋼線１が常に同じ方向に回転するので、疑似餌９を付けた釣り針が昇降しながら同じ方向に回転し、疑似餌９を横向きに動かせて生き餌のように挙動させることができる。【００１７】
水中において、ハリス８を介して釣り針を付けた疑似餌９を回転させると、疑似餌９が受ける水の抵抗によって疑似餌９の回転半径は、ハリス８を結び付けた水平な鋼線１の結び目11の回転半径よりも小さくなる。この現象は、ハリス８が長くなる程、顕著に現れる。そこで、疑似餌９の回転半径を大きくしたい場合には、水平な鋼線１を長くして、回転中心よりハリス８の結び目11までの間隔を長くすることが必要である。【００１８】
（第２実施形態）
この発明の天秤仕掛けの第１実施形態においては、水平な鋼線１と垂直な鋼線２を直交方向にスポット溶接して十字形に形成しているが、第２実施形態においては、図３の斜視図に示すように、垂直な鋼線２の代わりに細い金属パイプ21を水平な鋼線１に固定する。【００１９】
そして、このパイプ21の中に鋼線22を挿通して、鋼線22の上端に道糸６を結合し、下端に錘７を吊り下げても第１実施形態と同様に動作させることができる。なお、金属パイプ21の回転を円滑に行わせるために、鋼線22にビーズ23が挿通されている。【００２０】
（第３実施形態）
この第３実施形態は、水平な鋼線１の両端部近傍に弾性変形する羽根板４を取り付ける構成に関するものである。【００２１】
図４（ａ）に示すように、水平な鋼線１の両端部近傍に２つのループ13、14を鋼線１の長手方向に並べて形成する。これら２つのループ13、14を結ぶ短い鋼線15は、鋼線１と平行に配列され、２つのループ13、14が描く平面は、垂直な鋼線２とほぼ直交するように、すなわち、水平面を形成するように曲げ加工されている。【００２２】
これらの２つのループ13、14によって保持される羽根板４は、図４（ｂ）の平面図に一例を示すように、弾性を有する合成樹脂の板を打抜き加工したもので、ほぼ半円形の頭部41と、頚部46と、細長い胴部45とからなり、頭部41の中央にＵ字形の窪み42を形成し、この窪み42の底部の両側に小穴43をあけ、この小穴43から頚部46まで切込み44を入れたものである。そして、頚部46と胴部45の境界に切込み47を入れて、細く狭めた頚部46の末端48を胴部45と連続させたものである。【００２３】
次に、図５に基づいて、２つのループ13、14を利用して水平な鋼線１に羽根板４を取り付ける手順を説明する。【００２４】
まず、図５（ａ）に示すように、羽根板４のＵ字形の窪み42の両側部を、２つのループ13、14と短い鋼線15との間に挿し込み、図５（ｂ）に示すように、鋼線１または羽根板4を傾けて一方の頚部46 の切込み44を経て鋼線１を小穴43 の中へ嵌め込み、図５（ｃ）に示すように、鋼線１または羽根板４を反対方向に傾けて他方の頚部46の切込み44を経て鋼線１を他方の小穴43の中へ嵌め込むと、図５（ｄ）に示すように、水平な鋼線１に羽根板４を取り付けることができる。【００２５】
この羽根板４は、細く狭めた頚部46の末端48で胴部45と連続しており、この細く狭めた頚部46が弾性変形し易いので、水中で天秤仕掛けを昇降させたときに、胴部45が交互に反り上がったり反り下がったりして、プロペラのピッチを交互に反転させるので、天秤仕掛けを昇降させても常に同じ方向に回転させることができる。【００２６】
なお、図４に示した羽根板４は、魚に似せた形状であるが、これはデザインを考慮した形状に過ぎず、天秤仕掛けを昇降させたときに交互に反り返って、ピッチを交互に反転させるロペラとして作用する形状であれば如何なる形状でもよいのである。【００２７】
（第４実施形態）
以上で説明した第１実施形態〜第３実施形態においては、水平な鋼線１に対して、回転軸となる垂直な鋼線２または金属パイプ21を直交方向にスポット溶接して十字形に形成したものを使用しているが、図６の斜視図に示すように、水平な鋼線１の中央部において、鋼線１を曲げ加工して２つのループを上下に並べて８字形ループ20を形成する。【００２８】
この８字形ループ20は、水中において垂直な姿勢を保って水平な鋼線１の回転軸となるもので、上側のループには縒りを戻すサルカン61を介して道糸６が結合され、下側のループにはサルカン61を介して錘７が吊り下げられる。【００２９】
８字形ループ20を形成した鋼線１の両端部近傍に、第３実施形態と同様に２つのループ13、14を長手方向に並べて形成する。そして、８字形ループ20が描く平面が垂直面を形成し、２つのループ13、14が描く平面が水平面を形成するように曲げ加工すると、回転軸と羽根板４の取付部とを形成することができる。【００３０】
また、２つのループ13、14によって羽根板４を取り付ける際に、鋼線１に弾力の強いものを使用して、図６に示すように、鋼線の弾力に抗して２つのループ13、14と短い鋼線15との間に羽根板４を挿し込んで取り付けてもよいのである。この取付方法によると、羽根板４を破損した場合に容易に交換することができる。【００３１】
（第５実施形態）
以上で説明した各実施形態においては、天秤仕掛けの昇降時に、羽根板のピッチを交互に反転させるために、羽根板に弾性変形する板材を用いている。この第５実施形態においては、羽根板を弾性変形させることなく、蝶番のように水平な鋼線１に対して羽根板を回動自在としたものである。【００３２】
図７（ａ）に示すように、金属板を打抜き加工して、先端部が二股に分かれた羽根板５の原形を作り、図７（ｂ）に示すように、二股に分かれた先端部51を丸めて筒部53を形成した羽根板５を作る。【００３３】
図７（ｃ）に示すように、羽根板５の回動角度を制限するストパー部材54として、一定長さの線材をＶ字状に曲げ加工し、その谷部にループ55を形成したものを作る。【００３４】
図７（ｂ）に示すように、ストパー部材54のループ55を羽根板５の２つの筒部53の谷間52に合わせて、羽根板５の２つの筒部53およびストパー部材54のループ55に水平な鋼線１を挿通する。そして、Ｖ字状のストパー部材54の開角の中心線を水平方向に位置決めして、半田付けまたはスポット溶接によってストパー部材54のループ55を鋼線１に固定する。【００３５】
このように構成すると、ストパー部材54が羽根板５の谷間52に固定されているので、羽根板５は鋼線１に沿って横方向に移動することはなく、図７（ｄ）に点線で示すように、Ｖ字状のストパー部材54によって制限される範囲内で羽根板５が上下に回動して、天秤仕掛けの昇降時に、ピッチを交互に反転させるプロペラとして動作することができる。【００３６】
（第６実施形態）
この第６実施形態は、海底近傍に生息する魚の釣りに適した天秤仕掛けに用いる錘に関するものである。【００３７】
図８の側面図（ａ）および縦断面図（ｂ）に示すように、錘70に使用する重塊71は、鉛を円錐形に鋳造したもので、内部に巻込装置72を内蔵する空間73を形成し、この巻込装置72から糸75を引き出すための頂部まで貫通した穴74をあけたものである。【００３８】
巻込装置72は、ケースの内部に回転可能な糸巻きリールと、巻込用コイルスプリングを備えており、糸巻きリールに一定長さの糸75を巻き込んでいる。コイルスプリングの弾力に抗して糸75を引き伸ばすことができ、コイルスプリングの弾力により巻き込むことができる。【００３９】
図９に示すように、天秤仕掛けの回転軸となる垂直な鋼線２の下端に、サルカン61を介して錘70の巻込装置72から糸75を引き伸ばして吊り下げる。【００４０】
道糸６を繰り出して、この錘70を用いた天秤仕掛けを水中に沈降させると、重塊71の自重により糸巻きリールに巻き込んだ長さの糸75が全部引き出されて、天秤仕掛けと錘70との間隔が広がった状態で疑似餌９を回転させながら沈降する。【００４１】
錘70が海底に着底すると釣り竿が軽くなるので、着底したことを感知すことができる。さらに、糸巻きリールに巻き込まれた糸75の長さ（例えば、１ｍ）だけ道糸６を下げると、巻込装置72のコイルスプリングの弾力により糸75が引き込まれて天秤仕掛けを海底に接近させることができる。【００４２】
そして、巻込装置72のコイルスプリングの弾力に抗して、巻込装置72のリールに巻き込まれた糸75の長さ（例えば、１ｍ）以上に天秤仕掛けを引き上げると、錘70も引き上げられて釣り竿に重みを感じるので、釣り竿を下げると、コイルスプリングの弾力により天秤仕掛けが引き下げられる。【００４３】
このように、巻込装置72のリールに巻き込まれた糸75の長さの範囲内において天秤仕掛けを昇降させると、糸75を中心にして、疑似餌９を付けた釣り針が一方向に回転し、疑似餌９が生き餌のように挙動して海底に生息する魚を釣り揚げることができる。【００４４】
以上で説明したように、巻込装置72を備えた錘70を使用ことにより、天秤仕掛けの昇降中に、糸75にはコイルスプリングの弾力にによって常に張力が作用しているので、糸75が弛むことがなく、天秤仕掛けに糸75が絡むことはないのである。【００４５】
（第７実施形態）
以上で説明した各実施形態の天秤仕掛けを沈降させるとき、着底前に望まない魚が掛かることがある。そこで、この第７実施形態においては、図１に示すように、水平な鋼線１に道糸を引っ掛ける鉤16を設けたものである。【００４６】
この鉤16は、水平な鋼線１の中心より外れた位置に、その開放端を中心側に向けて鋼線１と斜め方向に設ける。天秤仕掛けを沈降させる前に、鉤16に道糸６を引っ掛けておくと、図１０に示すように、天秤仕掛けの水平な鋼線１が縦方向に傾いて、沈降中の羽根板による回転を妨げるので魚が掛かり難い。しかし、着底すると天秤仕掛けが横向きになって、道糸６が鉤16から外れて使用可能な状態になる。【００４７】
（その他の実施形態）
以上で説明した各実施形態においては、ハリスの上端を結びつける結び目11を羽根板の外側に形成しているが、疑似餌９を付けた釣り針の回転半径が小さくてもよい場合には、結び目11を羽根板の内側に形成すればよいのである。【００４８】
以上の各実施形態においては、道糸６に１つの天秤仕掛けを結合しているが、サルカンを介して２つの天秤仕掛けを上下に結合して使用することができる。なお、上下の天秤仕掛けが接近している場合には、上側の天秤仕掛けの水平な鋼線１を長く、下側の天秤仕掛けの水平な鋼線１を短くして、上側の天秤仕掛けのハリスが、下側の天秤仕掛けに絡まないように構成することが必要である。【００４９】
また、水平な鋼線１の両端部を長くし、間隔をあけてハリスの結び目21を２つ以上形成して、各結び目ごとにハリスの上端を結びつけておくと、疑似餌を付けた釣り針を多く引き回すことができる。
【符号の説明】
【００５０】
１  水平な鋼線
11  ハリスの結び目
２  垂直な鋼線
20  ８字形のループ
３a、３b、４、５  羽根板
６  道糸
61  サルカン
７、70  錘
71  重塊
74  巻込装置
８  ハリス
９  疑似餌
【図１】
2010041512.tif 000003
【図２】
2010041512.tif 000004
【図３】
2010041512.tif 000005
【図４】
2010041512.tif 000006
【図５】
2010041512.tif 000007
【図６】
2010041512.tif 000008
【図７】
2010041512.tif 000009
【図８】
2010041512.tif 000010
【図９】
2010041512.tif 000011
【図１０】
2010041512.tif 000012
【国際調査報告】
2010041512.tif 000013
2010041512.tif 000014
2010041512.tif 000015
2010041512.tif 000016